(57)【要約】【課題】本電気掃除機は、コード巻取コイルに巻かれた電源コードの温度を検知して、電気掃除機の回転を制御し、安全な電気掃除機を提供する。【解決手段】本電気掃除機は、電気掃除機本体に収容される、除塵手段と、電動送風機と、回転して電源コードを巻き取るコード巻取コイルを備え、電気掃除機本体内にコード巻取コイルに巻かれた電源コードの温度を検知する温度検知手段を設け、この温度検知手段がコード巻取コイルの予め設定した温度を検知して、この温度検知手段により直接、あるいはこの温度検知手段からの温度情報が入力される制御装置を介して電動送風機の回転を制御する。【選択図】  図１
2009291298.tif 000002
【特許請求の範囲】
【請求項１】
電気掃除機本体と、この電気掃除機本体に収容される、電動送風機と、回転して電源コードを巻き取るコード巻取コイルを備えた電気掃除機において、
前記電気掃除機本体内に前記コード巻取コイルに巻かれた前記電源コードの温度を検知する温度検知手段を設け、
この温度検知手段が前記コード巻取コイルの予め設定した温度を検知して、この温度検知手段により直接、あるいはこの温度検知手段からの温度情報が入力される制御装置を介して前記電動送風機の回転を制御することを特徴とする電気掃除機。
【請求項２】
前記温度検知手段は、前記電源コードの途中に設けられ、前記コード巻取コイルの巻き胴に設けられたサーモスタットであることを特徴とする請求項１に記載の電気掃除機。
【請求項３】
前記温度検知手段は、前記コード巻取コイルの巻き胴に近接して設けられたサーミスタであることを特徴とする請求項１に記載の電気掃除機。
【発明の詳細な説明】
【技術分野】
【０００１】
本発明は電気掃除機に係り、特にコード巻取コイルに巻かれた電源コードの温度を検知できる検温機能を備えた電気掃除機に関する。
【背景技術】
【０００２】
一般に電気掃除機は商用電源に電源コードを接続して受電するものが多く、この種、電気掃除機では、電源コードを掃除機本体内に設けたコード巻き取りコイルに巻き付けて収納している。
【０００３】
従来、電源コードの引出し可能長さの終わりと、その手前の位置に、引き出し終了を意味する注意マークと、警告マークを付して、電源コード引き出し時、断線を防ぐための注意を喚起している。
【０００４】
一方、電源コードは、その内部の導線を流れる電流によって自己発熱するため、「特定長さ」掃除機本体外へ引き出して使用することが推奨されている。
【０００５】
特に広い部屋で使用され、長い電源コードがコード巻取コイルに巻かれる電気掃除機にあっては、十分に電源コードを引き出して使用することが必要である。
【０００６】
そこで、国内の電気安全法、国際規格では安全上、「特定長さ」しか引き出されていない状態でも、安全を確保できる構造を求めており、製造者はその構造設計を遵守している。
【０００７】
電気安全法では、全長が２メートルを超える電源コードにあっては、その全長の１／５を引き出すこと、国際規格（ＩＮＴＥＲＮＡＴＩＯＮＡＬ  ＳＴＡＮＤＡＤ）のＩＥＣ６０３３５−１  １１  加熱  １１．２には、自動コード巻取コイルが付いている機器では、コード全長の１／３はリールに巻かない、機器動作中に部分的に電源コードを収納するように設計されているコード収納部（自動コード巻取コイルは除く）の場合、コードの５０ｃｍは巻かない、と試験のための規格が定められている。
【０００８】
しかしながら、電源コードを所定長さ引き出して使用することを、必ずしも期待できない。
【０００９】
このため、危険な発熱量に達し、電源コードの絶縁被覆を溶融あるいは本体ケースを変形させるおそれがあり、危険であった。
【００１０】
なお、電気掃除機のコード巻取り装置のコードに加わった引っ張り力をばね力で緩衝して和らげてコードの断線を防止するとともに、使用者に警報する電気掃除機が提案されている（例えば、特許文献１参照）。
【００１１】
しかしながら、特許文献１に記載のものは、電源コードが「特定長さ」まで引き出されないで使用した場合の安全対策が講じられていない。
【特許文献１】特開平５−２４５０７７号公報
【発明の開示】
【発明が解決しようとする課題】
【００１２】
本発明は上述した事情を考慮してなされたもので、コード巻取コイルに巻かれた電源コードの温度を検知して、電気掃除機の回転を制御し、安全な電気掃除機を提供することを目的とする。
【課題を解決するための手段】
【００１３】
上述した目的を達成するため、本発明に係る電気掃除機は、電気掃除機本体と、この電気掃除機本体に収容される、除塵手段と、電動送風機と、回転して電源コードを巻き取るコード巻取コイルを備えた電気掃除機において、前記電気掃除機本体内に前記コード巻取コイルに巻かれた前記電源コードの温度を検知する温度検知手段を設け、この温度検知手段が前記コード巻取コイルの予め設定した温度を検知して、この温度検知手段により直接、あるいはこの温度検知手段からの温度情報が入力される制御装置を介して前記電動送風機の回転を制御することを特徴とする。
【発明の効果】
【００１４】
本発明の電気掃除機によれば、コード巻取コイルに巻かれた電源コードの温度を検知して、電気掃除機の回転を制御し、安全な電気掃除機を提供することができる。
【発明を実施するための最良の形態】
【００１５】
本発明の第１実施形態に係る電気掃除機について図面を参照して説明する。
【００１６】
図１は本発明の第１実施形態に係る電気掃除機の概念図である。
【００１７】
図１に示すように、本第１実施形態の電気掃除機１は、掃除機本体２と、一端が掃除機本体２に設けたホース接続口２ａに着脱自由に接続され、他端に吸込口体が取り付けられた集塵ホース（図示せず）からなる。
【００１８】
掃除機本体２は本体ケース３を備え、この本体ケース３の前部内には、集塵ホースを介して被掃除面から吸込んだ塵埃を空気と分離する除塵手段４が設けられ、この除塵手段４の風下側には、電動送風機５が配置され、この電動送風機５の上方にはマイコン、メモリを備える制御装置６が設けられる。
【００１９】
また、電動送風機５の下流側には、コード巻取コイル７が配置され、このコード巻取コイル７は中空円筒形状の巻き胴７ａとこの巻き胴７ａの前後に設けたリング状の止め枠７ｂ、７ｃからなり、巻き胴７ａには一端に電源プラグ８が取り付けられた電源コード９が巻かれる。この電源コード９を介して電動送風機５に給電される。
【００２０】
さらに、コード巻取コイル７の巻き胴７ａには、このコード巻取コイル７を回転させる駆動手段としての回転駆動用ゼンマイ１０が横付けされる。電源コード９の他端は取付金具１１によってケース本体３に固定される。
【００２１】
なお、一旦引き出された電源コードが再び自然に巻き取られないように、一方向性にのみ引き出し可能なクラッチ手段を設けておくのがよい。また、本実施形態では、駆動手段として回転駆動用ゼンマイを用いる例で説明したが、回転駆動モータを用いても、あるいは手動によりコード巻取コイルを回転させるようにしてもよい。
【００２２】
図２に示すように、巻き胴７ａに巻き取られる電源コード９の他端側近くには、温度検知手段としてのサーモスタット１２が設けられる。
【００２３】
このサーモスタット１２は、電源コード９が少なくとも後述する「特定長さ」以上引き出されていないときは、巻き胴７ａ上に位置して設けられる。従って、電源コード９が「特定長さ」引き出されず、図２中鎖線で示すように、重なりあって収容される場合には、電源コード９はサーモスタット１２上にも重なる。
【００２４】
これにより、巻き胴７ａに巻かれた電源コード９の温度を検知すなわち重なり合う電源コード９の熱的影響及びサーモスタット１２自身を流れる電流の増加によって、サーモスタット１２が開放され、電源コード９を介しての給電は停止され、電動送風機５は回転の制御、すなわち停止する。
【００２５】
サーモスタット１２の作動（開放）温度は、例えば電源コード９の絶縁被覆の溶融温度以下に設定される。
【００２６】
なお、電源コード９の引き出し、巻き取り時電源コード９に引っ張り力が働くので、サーモスタット１２に直接応力がかからないように、補強部材を電源コード９に取り付けるのがよい。
【００２７】
ここで、「特定長さ」とは、国内の電気安全法に於いて、全長が２メートルを超える電源コードにあっては、その全長の１／５、あるいはＩＥＣ規格に於いて、全長の１／３と定められている長さを意味する。
【００２８】
電源コード９の全長は５ｍ〜１０ｍ、直径は８ｍｍ程度のものが用いられ、外国などの広い部屋で用いられる場合には、全長２０ｍが採用されることもある。
【００２９】
次に本発明の第１実施形態に係る電気掃除機の使用方法について説明する。
【００３０】
図１に示すように、電気掃除機１に掃除機本体２に設けた集塵ホース（図示せず）を取り付ける。
【００３１】
電源コード９を引き出し、電源コード９の先端の電源プラグ８を部屋の壁面のコンセントに差し込む。
【００３２】
しかる後、手元スイッチを入れ、電動送風機５を動作させて、吸込口体、集塵ホース及びホース接続口２ａを介して被掃除面から吸込んだ塵埃を除塵手段４で空気と分離し、掃除する。
【００３３】
電源コード９が５ｍの電気掃除機を用いる場合、「特定長さ」は２ｍであり、２ｍ以上引き出して掃除を継続しても、電源コード９は「特定長さ」引き出され、巻き胴７ａに巻かれた状態で残る電源コード９の巻数が少ないので、導線を流れる電流により自己発熱するが、危険な発熱量に達せず、電源コード９の絶縁被覆が溶融あるいは本体ケース３が溶融することがなく安全である。
【００３４】
これに対して、電源コード９が、「特定長さ」未満の引き出しでは、電源コード９の発熱量が増大し、絶縁被覆が溶融するおそれがあるが、サーモスタット１２の作動（開放）温度が絶縁被覆の溶融温度以下に設定されているので、電動送風機５は絶縁被覆が溶融する前に停止され、絶縁被覆が溶融あるいは本体ケース３が溶融することなく、安全である。
【００３５】
また、サーモスタット１２は、巻き胴７ａに巻かれた電源コード９の温度及びサーモスタット１２自身を流れる電流に応じて作動するので、迅速かつ正確に電源コード９の温度を検知でき、さらに、サーモスタット１２を電源コード９に直接、あるいは巻き胴７ａに設けることができ、安価である。
【００３６】
本第１実施形態の電気掃除機によれば、コード巻取コイルに巻かれた電源コードの温度を検知して、電気掃除機の回転を制御し、安全な電気掃除機を提供することができる。
【００３７】
また、本発明の第２実施形態に係る電気掃除機について説明する。
【００３８】
本第２実施形態は、第１実施形態が温度検知手段としてサーモスタットを用いるのに対して、サーミスタを用いる。
【００３９】
例えば、図３に示すように、本第２実施形態の電気掃除機は、中空円筒形状の巻き胴７ａの中空部７ａ１には、止め枠７ｂ側からサーミスタ１３が挿入されている。このサーミスタ１３は中空部７ａ１の周面に触れない範囲で巻き胴７ａに近接して、巻き胴７ａを介して検知される電源コード９の温度を検知する。
【００４０】
検知された温度情報を制御装置６に入力し、電動送風機５の回転を制御する。例えば、絶縁被覆の溶融温度以下の第１の設定温度で、電動送風機５の運転を停止し、第１の設定温度以下の第２の設定温度で電動送風機５の回転数を低下させる。
【００４１】
なお、他の構成は図１に示す電気掃除機と異ならないので、同一符号を付して説明は省略する。
【００４２】
従って、電動送風機は絶縁被覆が溶融する前に停止あるいは回転数が低下するので、絶縁被覆が溶融あるいは本体ケースが溶融することなく、安全である。
【００４３】
また、サーミスタは中空部の周面と離間して設けられるので、取り付けが容易である。
【図面の簡単な説明】
【００４４】
【図１】本発明の第１実施形態に係る電気掃除機の概念図。
【図２】本発明の第１実施形態に係る電気掃除機に用いる温度検知手段の近傍を拡大して示す断面図。
【図３】本発明の第２実施形態に係る電気掃除機に用いる温度検知手段の近傍を拡大して示す断面図。
【符号の説明】
【００４５】
１  電気掃除機
２  掃除機本体
２ａ  ホース接続口
３  本体ケース
４  除塵手段
５  電動送風機
６  制御装置
７  コード巻取コイル
７ａ  巻き胴
７ｂ、７ｃ  止め枠
８  電源プラグ
９  電源コード
１０  回転駆動用ゼンマイ
１１  取付金具
１２  サーモスタット
【図１】
2009291298.tif 000003
【図２】
2009291298.tif 000004
【図３】
2009291298.tif 000005